(57)【要約】【課題】粒状物を収納する容器において、常に特定の個数の粒を取り出すことができ、必要以上に粒が出てしまうことのない収納容器を提供することを目的とする。【解決手段】上ケースと下ケースと取出し部材からなり、上ケースと下ケースは、嵌合リブによって嵌合して容器本体の収納部を形成し、上ケースの中央部に設けた上ガイドと下ケースの中央部に設けた下ガイドは、連接して一つの柱状の空間を形成し、該柱状の空間に前記取出し部材が上下に摺動可能に収納されており、該取出し部材は、その下部に、内容物が入る粒収納部を有するとともに、内容物を取り出すための取出し口を有し、該取出し口は、前記下ガイドに設けた切欠き部を経由して容器本体の収納部と連通しており、容器本体の収納部から粒収納部に入った内容物を、前記取出し部材を上から下に押し込んで容器本体から外に突出させることにより、取出し口から取り出すことを特徴とする粒状物収納容器。【選択図】図１
2010013153.tif 000002
【特許請求の範囲】
【請求項１】
粒状の内容物を収納する容器であって、上ケースと下ケースと取出し部材からなり、上ケースと下ケースは、嵌合リブによって嵌合して容器本体の収納部を形成し、上ケースの中央部に設けた上ガイドと下ケースの中央部に設けた下ガイドは、連接して一つの柱状の空間を形成し、該柱状の空間に前記取出し部材が上下に摺動可能に収納されており、該取出し部材は、その下部に、内容物が入る粒収納部を有するとともに、内容物を取り出すための取出し口を有し、該取出し口は、前記下ガイドに設けた切欠き部を経由して容器本体の収納部と連通しており、容器本体の収納部から粒収納部に入った内容物を、前記取出し部材を上から下に押し込んで容器本体から外に突出させることにより、取出し口から取り出すことを特徴とする粒状物収納容器。
【請求項２】
前記上ガイドと下ガイドは、前記取出し部材に設けたストッパーが上下に摺動可能に嵌合する上案内溝と下案内溝をそれぞれ有し、これらは連通しており、前記ストッパーがこの連通した上下案内溝の範囲内でのみ上下に摺動することにより、前記取出し部材が容器本体から脱落しないようにしたことを特徴とする請求項１に記載の粒状物収納容器。
【請求項３】
前記取出し部材の上端部に突起を設け、前記上ガイドの上部に係止突起を設け、取出し部材が上昇し、前記突起が前記係止突起を乗り越えることにより、取出し部材が上限位置において係止するようにしたことを特徴とする請求項１または２に記載の粒状物収納容器。
【発明の詳細な説明】
【技術分野】
【０００１】
本発明は、ガム、キャンデー等、粒状の菓子や錠剤などの粒状物を収納する容器に関し、常に一定の個数の粒を取り出すことが可能であり、粒が不必要に出過ぎることのない粒状物収納容器に関する。
【背景技術】
【０００２】
従来、粒状物を収納する容器として、さまざまな形態の容器が使用されているが、一般的には、身と蓋を有する容器のコーナー付近もしくは端部に設けられた開口部に嵌合蓋もしくはスライド蓋が設けられており、取出し時には開口部を開いて、振り出すようにして内容物を取り出す構造を持った容器が多く用いられている。これらの容器は、取り出すときに中身の粒が不用意に飛び出してしまったり、必要な粒数以上に粒が出てしまったりする点で使い勝手が悪かった。（特許文献１、２）
【特許文献１】実開平4-112072号公報
【特許文献２】特開平9-77152号公報
【発明の開示】
【発明が解決しようとする課題】
【０００３】
本発明は、従来の上記のような問題点を解決するためになされたものであり、粒状物を収納する容器において、常に特定の個数の粒を取り出すことができ、必要以上に粒が出てしまうことのない、使い勝手の良い収納容器を提供することを目的とする。
【課題を解決するための手段】
【０００４】
上記の課題を解決するための手段として、請求項１に記載の発明は、粒状の内容物を収納する容器であって、上ケースと下ケースと取出し部材からなり、上ケースと下ケースは、嵌合リブによって嵌合して容器本体の収納部を形成し、上ケースの中央部に設けた上ガイドと下ケースの中央部に設けた下ガイドは、連接して一つの柱状の空間を形成し、該柱状の空間に前記取出し部材が上下に摺動可能に収納されており、該取出し部材は、その下部に、内容物が入る粒収納部を有するとともに、内容物を取り出すための取出し口を有し、該取出し口は、前記下ガイドに設けた切欠き部を経由して容器本体の収納部と連通しており、容器本体の収納部から粒収納部に入った内容物を、前記取出し部材を上から下に押し込んで容器本体から外に突出させることにより、取出し口から取り出すことを特徴とする粒状物収納容器である。
【０００５】
また、請求項２に記載の発明は、前記上ガイドと下ガイドは、前記取出し部材に設けたストッパーが上下に摺動可能に嵌合する上案内溝と下案内溝をそれぞれ有し、これらは連通しており、前記ストッパーがこの連通した上下案内溝の範囲内でのみ上下に摺動することにより、前記取出し部材が容器本体から脱落しないようにしたことを特徴とする請求項１に記載の粒状物収納容器である。
【０００６】
また、請求項３に記載の発明は、前記取出し部材の上端部に突起を設け、前記上ガイドの上部に係止突起を設け、取出し部材が上昇し、前記突起が前記係止突起を乗り越えることにより、取出し部材が上限位置において係止するようにしたことを特徴とする請求項１または２に記載の粒状物収納容器である。
【発明の効果】
【０００７】
本発明の粒状物収納容器は、上ケースと下ケースと取出し部材からなり、上ケースと下ケースは、嵌合リブによって嵌合して容器本体の収納部を形成し、上ケースの中央部に設
けた上ガイドと下ケースの中央部に設けた下ガイドは、連接して一つの柱状の空間を形成し、該柱状の空間に前記取出し部材が上下に摺動可能に収納されており、該取出し部材は、その下部に、内容物が入る粒収納部を有するとともに、内容物を取り出すための取出し口を有し、該取出し口は、前記下ガイドに設けた切欠き部を経由して容器本体の収納部と連通しており、容器本体の収納部から粒収納部に入った特定個数の内容物を、前記取出し部材を上から下に押し込んで容器本体から外に突出させることにより、取出し口から取り出すことを特徴とする粒状物収納容器であるから、取出し口からは、常に粒収納部に入った特定個数の粒が取り出され、不必要に内容物が飛び出したり、出過ぎたりすることがない。
【０００８】
また、前記上ガイドと下ガイドに、前記取出し部材に設けたストッパーが上下に摺動可能に嵌合する上案内溝と下案内溝をそれぞれ設けた場合には、前記ストッパーがこの連通した上下案内溝の範囲内でのみ上下に摺動することになるので、前記取出し部材が容器本体から容易に脱落しないようになるため、使い勝手が向上すると共に、取出し部材を動かした時に、上限位置と下限位置でぴたっと止まるため、快適な使用感が得られる。
【０００９】
またさらに、前記取出し部材の上端部に突起を設け、前記上ガイドの上部に係止突起を設けた場合には、取出し部材が上昇した時、前記突起が前記係止突起を乗り越えることにより、取出し部材が上限位置において係止するため、取出し部材が不必要に落下して、取出し口が開いてしまうことがなくなり、さらに使い勝手が向上すると共に、前記突起が係止突起を乗り越えた時にカチッと止まる感覚が同様にして快適な使用感を生み出す効果を有する。
【発明を実施するための最良の形態】
【００１０】
図面に基づいて、本発明の粒状物収納容器について詳細に説明する。
図１は、本発明に係る粒状物収納容器の一実施例を上下に分解した状態を示した全体斜視図であり、図２は、同じ粒状物収納容器の使用方法を示した説明図である。図３は、さらにその取出し部材３の部分拡大斜視図である。
以下、本発明を実施するための最良の形態として、本実施例に基づいて詳細に説明する。図１は、粒状物収納容器を構成する上ケース１と下ケース２と取出し部材３を鉛直方向に引き離した状態を示している。上ケース１と下ケース２とは、上ケース１に設けた嵌合リブ４によって嵌合して一つの容器となり、容器本体の収納部１８を形成する。この時、嵌合リブ４に設けた位置合わせ溝５に、下ケース２に設けた位置合わせ突起６が嵌合することにより、上下ケース１、２が所定の位置関係に一体化するようになっている。
【００１１】
上ケース１の中央部には、上ガイド７が設けられており、下ケース２の中央部には、下ガイド８が設けられている。これら上下ガイド７、８は、連接して一つの柱状の空間を形成し、この柱状の空間に取出し部材３が上下に摺動可能に収納される。本実施例では、上下ガイド７、８が形成する空間は円柱状の形状をしており、同様に円柱状の外形をもった取出し部材３がこの空間に収納されているが、これらの形状については、特に制約はなく、四角形でも六角形でもかまわない。
【００１２】
取出し部材３は、その下部に特定個数の内容物が入る粒収納部１７を有し、粒収納部への内容物１６の出入りを許す取出し口１２が設けられている。取出し部材３が定位置にある時には、取出し口１２は、下ガイド８に設けられた切欠き部１１と一致するようになっており、この時、粒収納部１７と容器本体の収納部１８とは、連通するようになっている。
【００１３】
図２の上の図は、取出し部材３が定位置にある状態を示しており、下の図は、取出し部材が下に摺動して下限位置に来た状態を示している。取出し部材３が定位置にあると、先
に説明したように、取出し部材３の粒収納部１７と容器本体の収納部１８とは、連通するようになっているため、容器本体の収納部１８にあった内容物１６は、取出し部材３の粒収納部１７に移動することができる。この時、粒収納部１７は、一回に取り出すべき内容物１６の個数に見合った大きさを持っており、この例では粒収納部１７には内容物１６が１個以上入らないようになっている。
【００１４】
なお、図３に示したように、取出し部材３の底面を構成する底板１９と側面を構成する側壁２０の端面が交わるコーナー部分２１には、内容物の出し入れ時に繰り返し応力が掛かるので、この部位の破断を防止するため、１ｍｍ程度のＲを設けておくと良い。
【００１５】
次に図２の下の図に示したように、取出し部材３を上から押して下にスライドさせると、粒収納部１７が外に押し出され、内容物１６を取出し口１２から１個だけ取り出すことができる。この時、切欠き部１１は、取出し部材３の上部の壁によってふさがれるので、余分な内容物がこぼれ落ちることはない。またこの時、取出し部材３に設けたストッパー１３が、下案内溝１０の最下部に当たって止まるので、取出し部材３が下に抜け落ちてしまうことはない。
【００１６】
容器本体の底面から突出した取出し部材３の底部を押して本体内に押し込むと、図２の上の図の状態に戻る。この時、ストッパー１３は、上案内溝９の最上部に当たって止まるので、取出し部材が容器本体の上に飛び出してしまうことはない。またこの時、取出し部材３の上端部に設けた突起１４が、上ガイド７の上部に設けた係止突起１５を乗り越えて止まるので、手を離した状態でも取出し部材３が、勝手に落下することはない。
【００１７】
上に説明したように、上下案内溝９、１０とストッパー１３および、突起１４と係止突起１５は、これらが存在することによって、容器としての使い勝手が著しく向上するものである。
【００１８】
上ケース１、下ケース２、取出し部材３の材質については、特に限定されるものではないが、生産のしやすさ、コスト、使い勝手などを考慮すると、各種熱可塑性プラスチックが好ましく使用できる。
【図面の簡単な説明】
【００１９】
【図１】本発明に係る粒状物収納容器の一実施例を上下に分解した状態を示した全体斜視図
【図２】図１に示した粒状物収納容器の使用方法を示した説明図
【図３】図１に示した粒状物収納容器の取出し部材の部分拡大斜視図
【符号の説明】
【００２０】
１・・・上ケース
２・・・下ケース
３・・・取出し部材
４・・・嵌合リブ
５・・・位置合わせ溝
６・・・位置合わせ突起
７・・・上ガイド
８・・・下ガイド
９・・・上案内溝
１０・・・下案内溝
１１・・・切欠き部
１２・・・取出し口
１３・・・ストッパー
１４・・・突起
１５・・・係止突起
１６・・・内容物
１７・・・粒収納部
１８・・・容器本体の収納部
１９・・・底板
２０・・・側壁
２１・・・コーナー部分
【図１】
2010013153.tif 000003
【図２】
2010013153.tif 000004
【図３】
2010013153.tif 000005